(57)【特許請求の範囲】
【請求項１】
色変換テーブルを用いて入力デバイス値から変換されたカラー画像出力装置の出力デバイス値を、前記カラー画像出力装置の機械状態に応じて補正する色補正装置であって、
前記カラー画像出力装置の機械状態を特定する機械状態情報を取得する情報取得部と、
前記カラー画像出力装置が出力したカラーチャートを測色器で測色した色彩値に基づいて、前記カラーチャートの入力デバイス値に対応する出力デバイス値の第１の補正量を決定し、入力色毎に前記第１の補正量を記述した補正テーブルを作成し、前記補正テーブルを前記機械状態情報に対応付けて記憶部に履歴情報として保存する履歴管理部と、
前記カラー画像出力装置にカラー画像の出力を指示する際に、保存した前記補正テーブルを参照して、前記カラー画像出力装置の現在の機械状態における第２の補正量を入力色毎に推定し、推定した入力色毎の前記第２の補正量を用いて前記カラー画像の入力デバイス値に対応する出力デバイス値を補正する補正制御部と、を備え、
前記補正制御部は、前記第２の補正量を推定する際に、入力色毎に前記第１の補正量が特異データであるかを判断し、前記特異データと判断された前記第１の補正量は前記出力デバイス値の補正に使用しない、
ことを特徴とする色補正装置。
【請求項２】
前記補正制御部は、所定の入力色の前記第１の補正量が前記特異データと判断された場合、前記所定の入力色以外の入力色の前記第１の補正量を用いて、前記所定の入力色の前記第２の補正量を推定する、
ことを特徴とする請求項１に記載の色補正装置。
【請求項３】
前記補正制御部は、入力色毎に、各々の入力色の前記第１の補正量の傾向を表す傾向値と、全ての入力色の前記第１の補正量の傾向を表す全体傾向値と、を比較することにより、入力色毎に前記第１の補正量が前記特異データであるかを判断する、
ことを特徴とする請求項１又は２に記載の色補正装置。
【請求項４】
前記補正制御部は、前記第１の補正量を所定の色空間の第３の補正量に変換し、各々の入力色の前記所定の色空間の前記第３の補正量の平均値を当該入力色の前記傾向値として設定し、全ての入力色の前記傾向値の平均値を前記全体傾向値として設定し、各々の入力色の前記傾向値と前記全体傾向値との差分の絶対値が予め定めた閾値を超えるか否かに基づいて、前記第１の補正量が前記特異データであるかを判断する、
ことを特徴とする請求項３に記載の色補正装置。
【請求項５】
前記履歴管理部は、推定した前記第２の補正量を用いて補正テーブルを作成し、作成した前記補正テーブルを前記カラー画像出力装置の現在の機械状態情報に対応付けて前記記憶部に前記履歴情報として保存する、
ことを特徴とする請求項１乃至４のいずれか一に記載の色補正装置。
【請求項６】
前記補正制御部は、前記特異データであると判断された前記第１の補正量の数が予め定めた数量又は割合を超える場合は、前記履歴管理部に前記色変換テーブルの再作成を指示する、
ことを特徴とする請求項１乃至５のいずれか一に記載の色補正装置。
【請求項７】
前記機械状態は、前記カラー画像出力装置の印刷エンジンを構成する各部材の使用時間、前記印刷エンジンの環境湿度、前記印刷エンジンの環境温度のいずれかを含み、
前記情報取得部は、前記印刷エンジンに設けられた計測部から前記機械状態情報を取得する、
ことを特徴とする請求項１乃至６のいずれか一に記載の色補正装置。
【請求項８】
前記色補正装置は、前記カラー画像出力装置に内蔵されている、
ことを特徴とする請求項１乃至７のいずれか一に記載の色補正装置。
【請求項９】
色変換テーブルを用いて入力デバイス値から変換されたカラー画像出力装置の出力デバイス値を、前記カラー画像出力装置の機械状態に応じて補正する色補正装置と、前記カラー画像出力装置と、測色器と、を含む印刷システムにおける色補正方法であって、
前記色補正装置は、
前記カラー画像出力装置から、当該カラー画像出力装置の機械状態を特定する機械状態情報を取得する第１処理と、
前記測色器から、前記カラー画像出力装置が出力したカラーチャートを測色した色彩値を取得する第２処理と、
取得した前記色彩値に基づいて、前記カラーチャートの入力デバイス値に対応する出力デバイス値の第１の補正量を決定し、入力色毎に前記第１の補正量を記述した補正テーブルを作成する第３処理と、
前記補正テーブルを前記機械状態情報に対応付けて記憶部に履歴情報として保存する第４処理と、
前記カラー画像出力装置にカラー画像の出力を指示する際に、保存した前記補正テーブルを参照して、前記カラー画像出力装置の現在の機械状態における第２の補正量を入力色毎に推定し、推定した入力色毎の前記第２の補正量を用いて前記カラー画像の入力デバイス値に対応する出力デバイス値を補正する第５処理と、を実行し、
前記第５処理では、前記第２の補正量を推定する際に、入力色毎に前記第１の補正量が特異データであるかを判断し、前記特異データと判断された前記第１の補正量は前記出力デバイス値の補正に使用しない、
ことを特徴とする色補正方法。
【請求項１０】
前記第５処理では、所定の入力色の前記第１の補正量が前記特異データと判断された場合、前記所定の入力色以外の入力色の前記第１の補正量を用いて、前記所定の入力色の前記第２の補正量を推定する、
ことを特徴とする請求項９に記載の色補正方法。
【請求項１１】
前記第５処理では、入力色毎に、各々の入力色の前記第１の補正量の傾向を表す傾向値と、全ての入力色の前記第１の補正量の傾向を表す全体傾向値と、を比較することにより、入力色毎に前記第１の補正量が前記特異データであるかを判断する、
ことを特徴とする請求項９又は１０に記載の色補正方法。
【請求項１２】
前記第５処理では、前記第１の補正量を所定の色空間の第３の補正量に変換し、各々の入力色の前記所定の色空間の前記第３の補正量の平均値を当該入力色の前記傾向値として設定し、全ての入力色の前記傾向値の平均値を前記全体傾向値として設定し、各々の入力色の前記傾向値と前記全体傾向値との差分の絶対値が予め定めた閾値を超えるか否かに基づいて、前記第１の補正量が前記特異データであるかを判断する、
ことを特徴とする請求項１１に記載の色補正方法。
【請求項１３】
前記第５処理では、推定した前記第２の補正量を用いて補正テーブルを作成し、作成した前記補正テーブルを前記カラー画像出力装置の現在の機械状態情報に対応付けて前記記憶部に前記履歴情報として保存する、
ことを特徴とする請求項９乃至１２のいずれか一に記載の色補正方法。
【請求項１４】
前記第５処理では、前記特異データであると判断された前記第１の補正量の数が予め定めた数量又は割合を超える場合は、前記色変換テーブルの再作成を指示する、
ことを特徴とする請求項９乃至１３のいずれか一に記載の色補正方法。
【請求項１５】
前記機械状態は、前記カラー画像出力装置の印刷エンジンを構成する各部材の使用時間、前記印刷エンジンの環境湿度、前記印刷エンジンの環境温度のいずれかを含み、
前記第１処理では、前記印刷エンジンに設けられた計測部から前記機械状態情報を取得する、
ことを特徴とする請求項９乃至１４のいずれか一に記載の色補正方法。
【請求項１６】
色変換テーブルを用いて入力デバイス値から変換されたカラー画像出力装置の出力デバイス値を、前記カラー画像出力装置の機械状態に応じて補正する色補正装置で動作する色補正プログラムであって、
前記色補正装置に、
前記カラー画像出力装置から、当該カラー画像出力装置の機械状態を特定する機械状態情報を取得する第１処理、
測色器から、前記カラー画像出力装置が出力したカラーチャートを測色した色彩値を取得する第２処理、
取得した前記色彩値に基づいて、前記カラーチャートの入力デバイス値に対応する出力デバイス値の第１の補正量を決定し、入力色毎に前記第１の補正量を記述した補正テーブルを作成する第３処理、
前記補正テーブルを前記機械状態情報に対応付けて記憶部に履歴情報として保存する第４処理、
前記カラー画像出力装置にカラー画像の出力を指示する際に、保存した前記補正テーブルを参照して、前記カラー画像出力装置の現在の機械状態における第２の補正量を入力色毎に推定し、推定した入力色毎の前記第２の補正量を用いて前記カラー画像の入力デバイス値に対応する出力デバイス値を補正する第５処理、を実行させ、
前記第５処理では、前記第２の補正量を推定する際に、入力色毎に前記第１の補正量が特異データであるかを判断し、前記特異データと判断された前記第１の補正量は前記出力デバイス値の補正に使用しない、
ことを特徴とする色補正プログラム。
【請求項１７】
前記第５処理では、所定の入力色の前記第１の補正量が前記特異データと判断された場合、前記所定の入力色以外の入力色の前記第１の補正量を用いて、前記所定の入力色の前記第２の補正量を推定する、
ことを特徴とする請求項１６に記載の色補正プログラム。
【請求項１８】
前記第５処理では、入力色毎に、各々の入力色の前記第１の補正量の傾向を表す傾向値と、全ての入力色の前記第１の補正量の傾向を表す全体傾向値と、を比較することにより、入力色毎に前記第１の補正量が前記特異データであるかを判断する、
ことを特徴とする請求項１６又は１７に記載の色補正プログラム。
【請求項１９】
前記第５処理では、前記第１の補正量を所定の色空間の第３の補正量に変換し、各々の入力色の前記所定の色空間の前記第３の補正量の平均値を当該入力色の前記傾向値として設定し、全ての入力色の前記傾向値の平均値を前記全体傾向値として設定し、各々の入力色の前記傾向値と前記全体傾向値との差分の絶対値が予め定めた閾値を超えるか否かに基づいて、前記第１の補正量が前記特異データであるかを判断する、
ことを特徴とする請求項１８に記載の色補正プログラム。
【請求項２０】
前記第５処理では、推定した前記第２の補正量を用いて補正テーブルを作成し、作成した前記補正テーブルを前記カラー画像出力装置の現在の機械状態情報に対応付けて前記記憶部に前記履歴情報として保存する、
ことを特徴とする請求項１６乃至１９のいずれか一に記載の色補正プログラム。
【請求項２１】
前記第５処理では、前記特異データであると判断された前記第１の補正量の数が予め定めた数量又は割合を超える場合は、前記色変換テーブルの再作成を指示する、
ことを特徴とする請求項１６乃至２０のいずれか一に記載の色補正プログラム。
【請求項２２】
前記機械状態は、前記カラー画像出力装置の印刷エンジンを構成する各部材の使用時間、前記印刷エンジンの環境湿度、前記印刷エンジンの環境温度のいずれかを含み、
前記第１処理では、前記印刷エンジンに設けられた計測部から前記機械状態情報を取得する、
ことを特徴とする請求項１６乃至２１のいずれか一に記載の色補正プログラム。
【発明の詳細な説明】
【技術分野】
【０００１】
本発明は、色補正装置及び色補正方法並びに色補正プログラムに関し、特に、補正テーブルを用いて色補正を行う色補正装置及び当該色補正装置を含む印刷システムにおける色補正方法並びに当該色補正装置で動作する色補正プログラムに関する。
【背景技術】
【０００２】
カラー画像出力装置を用いてカラー画像を出力する場合、画像データ上のデバイス値（入力デバイス値）をカラー画像出力装置のデバイス値（出力デバイス値）に変換する必要があり、この変換に、色変換テーブル（例えば、デバイスリンクプロファイル）が用いられる。入力デバイス値には、所望の色（例えば、色彩値）があり、色変換テーブルは入力デバイス値を所望の色に対応する出力デバイス値に変換する。このようにして変換された出力デバイス値に従って、カラー画像出力装置はカラー画像を出力する。
【０００３】
出力したカラー画像の色と所望する色とが同じであれば問題はないが、実際にはカラー画像出力装置の機械状態（印刷エンジンを構成する各部材の使用時間、印刷エンジンの環境湿度や環境温度など）によって、出力したカラー画像は変化するため、色変換テーブルだけでは所望の色を再現することはできない。そこで、出力したカラー画像が所望の色になるように、出力デバイス値を補正する補正テーブルが用いられる。この補正テーブルは、入力デバイス値に応じて出力デバイス値を補正する（すなわち、出力デバイス値を補正出力デバイス値に変換する）補正量を記述したテーブルである。
【０００４】
このような色補正に関する技術として、例えば、特許文献１には、記録媒体に印刷された画像における階調変動を補正するための補正処理を行うことが可能な画像処理装置であって、前記補正処理において前記記録媒体に印刷された画像の階調が基準範囲内にあるか否かを判定する階調比較判定手段と、前記記録媒体に印刷された画像の測色に異常があるか否かを判定する測色判定手段と、前記階調比較判定手段及び前記測色判定手段の各判定結果に基づいて、少なくとも前記階調変動の原因が前記補正処理に関するものであるかまたは前記画像を前記記録媒体に印刷する画像出力手段に関するものであるかを示すメッセージを表示する表示手段と、を備える構成が開示されている。
【０００５】
また、特許文献２には、カラー入出力デバイスの色再現特性を記述した色変換手段を用いて、デバイス依存の第１の色空間とデバイス非依存の第２の色空間との間で相互に色変換を行う画像処理方法であって、前記カラーの入力画像と出力画像の所定色が一致するように前記色変換手段を修正するとき、前記所定色についての修正履歴情報を参照する構成が開示されている。
【先行技術文献】
【特許文献】
【０００６】
【特許文献１】特開２０１４−１７５８６１号公報
【特許文献２】特開２００４−００４３６９号公報
【発明の概要】
【発明が解決しようとする課題】
【０００７】
色変換テーブルと補正テーブルとを使用することにより、出力したカラー画像は所望の色を再現できるようになるが、上述したように、出力したカラー画像はカラー画像出力装置の機械状態によって変動するため、補正テーブルも機械状態に応じて適宜修正する必要がある。
【０００８】
その方法として、機械状態に応じた補正テーブルを履歴情報として保存しておき、カラー画像を出力する時の機械状態に応じて、履歴情報として保存した補正テーブルを修正する方法が考えられる。この時、補正テーブルは機械状態に応じて出力デバイス値を補正するものであるため、印刷に使用する用紙の紙種の変更などに応じて色変換テーブルが変わっても補正テーブルは使用できるはずである。しかしながら、履歴情報として保存した補正テーブルの中に、特定の色変換テーブルに依存する出力デバイス値の補正量が含まれる場合、新たに作成した色変換テーブルなどの他の色変換テーブルを使用する際にこの補正テーブルを適用すると、色精度が悪化する場合が生じるという問題がある。
【０００９】
本発明は、上記問題点に鑑みてなされたものであって、その主たる目的は、補正テーブルを用いた色補正に際して、色精度の悪化を防止することができる色補正装置及び色補正方法並びに色補正プログラムを提供することにある。
【課題を解決するための手段】
【００１０】
本発明の一側面は、色変換テーブルを用いて入力デバイス値から変換されたカラー画像出力装置の出力デバイス値を、前記カラー画像出力装置の機械状態に応じて補正する色補正装置であって、前記カラー画像出力装置の機械状態を特定する機械状態情報を取得する情報取得部と、前記カラー画像出力装置が出力したカラーチャートを測色器で測色した色彩値に基づいて、前記カラーチャートの入力デバイス値に対応する出力デバイス値の第１の補正量を決定し、入力色毎に前記第１の補正量を記述した補正テーブルを作成し、前記補正テーブルを前記機械状態情報に対応付けて記憶部に履歴情報として保存する履歴管理部と、前記カラー画像出力装置にカラー画像の出力を指示する際に、保存した前記補正テーブルを参照して、前記カラー画像出力装置の現在の機械状態における第２の補正量を入力色毎に推定し、推定した入力色毎の前記第２の補正量を用いて前記カラー画像の入力デバイス値に対応する出力デバイス値を補正する補正制御部と、を備え、前記補正制御部は、前記第２の補正量を推定する際に、入力色毎に前記第１の補正量が特異データであるかを判断し、前記特異データと判断された前記第１の補正量は前記出力デバイス値の補正に使用しないことを特徴とする。
【００１１】
本発明の一側面は、色変換テーブルを用いて入力デバイス値から変換されたカラー画像出力装置の出力デバイス値を、前記カラー画像出力装置の機械状態に応じて補正する色補正装置と、前記カラー画像出力装置と、測色器と、を含む印刷システムにおける色補正方法であって、前記色補正装置は、前記カラー画像出力装置から、当該カラー画像出力装置の機械状態を特定する機械状態情報を取得する第１処理と、前記測色器から、前記カラー画像出力装置が出力したカラーチャートを測色した色彩値を取得する第２処理と、取得した前記色彩値に基づいて、前記カラーチャートの入力デバイス値に対応する出力デバイス値の第１の補正量を決定し、入力色毎に前記第１の補正量を記述した補正テーブルを作成する第３処理と、前記補正テーブルを前記機械状態情報に対応付けて記憶部に履歴情報として保存する第４処理と、前記カラー画像出力装置にカラー画像の出力を指示する際に、保存した前記補正テーブルを参照して、前記カラー画像出力装置の現在の機械状態における第２の補正量を入力色毎に推定し、推定した入力色毎の前記第２の補正量を用いて前記カラー画像の入力デバイス値に対応する出力デバイス値を補正する第５処理と、を実行し、前記第５処理では、前記第２の補正量を推定する際に、入力色毎に前記第１の補正量が特異データであるかを判断し、前記特異データと判断された前記第１の補正量は前記出力デバイス値の補正に使用しないことを特徴とする。
【００１２】
本発明の一側面は、色変換テーブルを用いて入力デバイス値から変換されたカラー画像出力装置の出力デバイス値を、前記カラー画像出力装置の機械状態に応じて補正する色補正装置で動作する色補正プログラムであって、前記色補正装置に、前記カラー画像出力装置から、当該カラー画像出力装置の機械状態を特定する機械状態情報を取得する第１処理、測色器から、前記カラー画像出力装置が出力したカラーチャートを測色した色彩値を取得する第２処理、取得した前記色彩値に基づいて、前記カラーチャートの入力デバイス値に対応する出力デバイス値の第１の補正量を決定し、入力色毎に前記第１の補正量を記述した補正テーブルを作成する第３処理、前記補正テーブルを前記機械状態情報に対応付けて記憶部に履歴情報として保存する第４処理、前記カラー画像出力装置にカラー画像の出力を指示する際に、保存した前記補正テーブルを参照して、前記カラー画像出力装置の現在の機械状態における第２の補正量を入力色毎に推定し、推定した入力色毎の前記第２の補正量を用いて前記カラー画像の入力デバイス値に対応する出力デバイス値を補正する第５処理、を実行させ、前記第５処理では、前記第２の補正量を推定する際に、入力色毎に前記第１の補正量が特異データであるかを判断し、前記特異データと判断された前記第１の補正量は前記出力デバイス値の補正に使用しないことを特徴とする。
【発明の効果】
【００１３】
本発明の色補正装置及び色補正方法並びに色補正プログラムによれば、補正テーブルを用いた色補正に際して、色精度の悪化を防止することができる。
【００１４】
その理由は、色補正装置（色補正プログラム）は、カラー画像出力装置の機械状態情報を取得し、カラー画像出力装置が出力したカラーチャートを測色器で測色した色彩値に基づいてカラーチャートの入力デバイス値に対応する出力デバイス値の補正量を決定し、入力色毎に補正量を記述した補正テーブルを作成し、補正テーブルを機械状態情報に対応付けて履歴情報として保存し、カラー画像出力装置にカラー画像の出力を指示する際に、保存した補正テーブルを参照してカラー画像出力装置の現在の機械状態における補正量を入力色毎に推定し、推定した補正量を用いてカラー画像の入力デバイス値に対応する出力デバイス値を補正する。そして、補正量を推定する際に、入力色毎に補正量が特異データであるかを判断し、特異データと判断された補正量はカラー画像の出力デバイス値の補正に使用しないように制御するからである。
【図面の簡単な説明】
【００１５】
【図１】本発明の一実施例に係る印刷システムの構成の一例を示す模式図である。
【図２】本発明の一実施例に係る印刷システムの構成の他の例を示す模式図である。
【図３】本発明の一実施例に係るクライアント端末の構成を示すブロック図である。
【図４】本発明の一実施例に係るコントローラの構成を示すブロック図である。
【図５】本発明の一実施例に係るカラー画像出力装置の構成を示すブロック図である。
【図６】本発明の一実施例に係るカラー画像出力装置の印刷処理部の構成を示す模式図である。
【図７】本発明の一実施例に係るカラー画像出力装置の処理（履歴の蓄積処理）を示すフローチャート図である。
【図８】本発明の一実施例に係るカラー画像出力装置の処理（履歴の運用処理）を示すフローチャート図である。
【図９】本発明の一実施例に係るカラー画像出力装置の処理（補正量の推定処理）を示すフローチャート図である。
【図１０】本発明の一実施例に係る入力色Ａの機械状態と補正量との関係を示すテーブルである。
【図１１】本発明の一実施例に係る入力色毎の傾向値を示すテーブルである。
【図１２】本発明の一実施例に係る入力色毎の傾向値の差分を用いた判定例を示すテーブルである。
【図１３】補正量と傾向値と全体傾向値との関係を説明する図である。
【発明を実施するための形態】
【００１６】
背景技術で示したように、カラー画像出力装置を用いてカラー画像を出力する場合、色変換テーブルを用いて画像データ上のデバイス値（入力デバイス値）をカラー画像出力装置のデバイス値（出力デバイス値）に変換し、更に、補正テーブルを用いて出力デバイス値を補正することにより、出力したカラー画像が所望の色になるようにしている。
【００１７】
その際、出力したカラー画像はカラー画像出力装置の機械状態（印刷エンジンを構成する各部材の使用時間、印刷エンジンの環境湿度や環境温度など）によって変動するため、補正テーブルも機械状態に応じて適宜修正する必要がある。そこで、機械状態に応じた補正テーブルを履歴情報として保存しておき、カラー画像を出力する時の機械状態に応じて、履歴情報として保存した補正テーブルを修正する方法が用いられる。しかしながら、履歴情報として保存した補正テーブルの中に、特定の色変換テーブルに依存する出力デバイス値の補正量が含まれる場合、他の色変換テーブルを使用する際にこの補正テーブルを適用すると、色精度が悪化する場合が生じる。
【００１８】
この特定の色変換テーブルに依存する出力デバイス値の補正量は、例えば、特定の色変換テーブルを作成するためのカラーチャートを測色した時に、特定のパッチに不具合があるなどの理由で色彩値が適切でない値になり、その結果、色変換テーブルを用いて変換した出力デバイス値を補正するための補正量が適切でない値（以下、特異データと呼ぶ。）になったものであり、他の色変換テーブル（例えば、異なる紙種に対応して新たに作成した色変換テーブルなど）を用いて変換した出力デバイス値に対して、この補正量を適用すると、補正後の出力デバイス値が所望の色から外れてしまう。
【００１９】
そこで、本発明の一実施の形態では、カラー画像出力装置の機械状態と補正テーブルとを対応付けて履歴情報として蓄積し、蓄積した履歴情報を利用する際に、蓄積した補正テーブルの入力色毎の補正量が特異データであるかを、その入力色の補正量の傾向値と全体傾向値との差分が予め定めた閾値を超えるか否かに基づいて判断し、特異データと判断されなかった場合はその入力色の補正量を用いて現在の機械状態における補正量を推定し、特異データと判断された場合はその入力色の補正量は色補正に使用せず、その入力色以外の入力色（例えば、その入力色に近い色の入力色）の補正量を用いて現在の機械状態における補正量を推定するようにする。
【００２０】
このように、履歴情報として保存した補正テーブルの補正量が特異データか否かを判断し、特異データの場合にはその特異データを色補正に使用しないことにより、履歴蓄積時とは異なる出力状態で履歴情報を使用して色補正を行った場合でも、色精度の悪化を避けることができる。
【実施例】
【００２１】
上記した本発明の一実施の形態についてさらに詳細に説明すべく、本発明の一実施例に係る色補正装置及び色補正方法並びに色補正プログラムについて、図１乃至図１３を参照して説明する。図１及び図２は、本実施例の印刷システムの構成を示す模式図であり、図３は、クライアント端末の構成を示すブロック図、図４は、コントローラの構成を示すブロック図である。また、図５は、カラー画像出力装置の構成を示すブロック図、図６は、カラー画像出力装置の印刷処理部の構成を示す模式図であり、図７乃至図９は、カラー画像出力装置の処理を示すフローチャート図である。また、図１０乃至図１２は、補正量が特異データか否かを判断するために使用するテーブルの一例であり、図１３は、補正量と傾向値と全体傾向値との関係を説明する図である。
【００２２】
図１に示すように、本実施例の印刷システムは、イントラネット上に、通信ネットワーク５０で接続可能なクライアント端末１０とコントローラ２０とカラー画像出力装置３０と測色器４０とがそれぞれ配置される。この通信ネットワーク５０の規格としてEthernet（登録商標）などを用いることができるが、コントローラ２０からカラー画像出力装置３０へのデータ転送は、Ethernet（登録商標）以外にIEEE1394、Parallelなどを用いることも可能である。
【００２３】
なお、図１では、コントローラ２０とカラー画像出力装置３０とを別々の装置としているが、図２に示すように、カラー画像出力装置３０がコントローラ２０を内包する構成としてもよい。以下、図１の構成を前提にして、各装置について詳細に説明する。
【００２４】
［クライアント端末］
クライアント端末１０は、パーソナルコンピュータなどのコンピュータ装置であり、印刷ジョブを作成してコントローラ２０に送信する。このクライアント端末１０は、図３（ａ）に示すように、制御部１１と記憶部１２とネットワークＩ／Ｆ部１３と表示部１４と操作部１５などで構成される。
【００２５】
制御部１１は、ＣＰＵ（Central Processing Unit）１１ａとＲＯＭ（Read Only Memory）１１ｂやＲＡＭ（Random Access Memory）１１ｃなどのメモリとで構成され、ＣＰＵ１１ａは、ＲＯＭ１１ｂや記憶部１２に記憶した制御プログラムをＲＡＭ１１ｃに展開して実行することにより、クライアント端末１０全体の動作を制御する。また、図３（ｂ）に示すように、上記制御部１１（ＣＰＵ１１ａ）により、ＯＳ（Operating System）１６、文書作成アプリケーション１７、プリンタドライバ１８などが実行される。
【００２６】
ＯＳ１６は、Windows（登録商標）やMac OS（登録商標）、Android（登録商標）などであり、クライアント端末１０で文書作成アプリケーション１７やプリンタドライバ１８を動作可能にする。
【００２７】
文書作成アプリケーション１７は、文章作成や表計算、画像加工などを行うソフトウェアであり、印刷指示の際にプリンタドライバ１８を読み出し、文書作成アプリケーション１７で作成した原稿データをプリンタドライバ１８に転送する。
【００２８】
プリンタドライバ１８は、文書作成アプリケーション１７で作成した原稿データを、コントローラ２０が解釈可能な言語の印刷ジョブ（ＰＪＬ（Printer Job Language）やＰＳ（PostScript）、ＰＣＬ（Printer Control Language）等のページ記述言語で記述されたＰＤＬ（Page Description Language）データ、または、ＰＤＦ（Portable Document Format）データ）に変換する。この印刷ジョブには、プリンタドライバ１８の印刷設定画面で設定された画像形成条件（本実施例では、色変換テーブル、補正テーブルなどを指定する情報）がプリントチケットやヘッダなどに記述されて付加される。
【００２９】
記憶部１２は、ＨＤＤ（Hard Disk Drive）やＳＳＤ（Solid State Drive）などで構成され、ＣＰＵ１１ａが各部を制御するためのプログラム、自装置の処理機能に関する情報、文書作成アプリケーション１７が作成した原稿データ、プリンタドライバ１８が作成した印刷ジョブなどを記憶する。
【００３０】
ネットワークＩ／Ｆ部１３は、ＮＩＣ（Network Interface Card）やモデムなどで構成され、クライアント端末１０を通信ネットワーク５０に接続し、コントローラ２０に印刷ジョブを送信する。
【００３１】
表示部１４は、液晶表示装置（ＬＣＤ：Liquid Crystal Display）や有機ＥＬ（electroluminescence）表示装置などで構成され、文書作成アプリケーション１７の原稿作成画面、プリンタドライバ１８の印刷設定画面などを表示する。
【００３２】
操作部１５は、マウスやキーボードなどで構成され、文書作成アプリケーション１７による原稿の作成、プリンタドライバ１８による印刷条件の設定などの操作を可能にする。
【００３３】
［コントローラ］
コントローラ２０は、カラー画像出力装置３０を制御する色補正装置である。このコントローラ２０は、図４（ａ）に示すように、制御部２１と記憶部２２と画像処理部２３とＲＩＰ（Raster Image Processor）部２４とネットワークＩ／Ｆ部２５とプリンタＩ／Ｆ部２６と必要に応じて表示部及び操作部（図示せず）などで構成される。
【００３４】
制御部２１は、ＣＰＵ２１ａと、ＲＯＭ２１ｂやＲＡＭ２１ｃなどのメモリとで構成され、ＣＰＵ２１ａは、ＲＯＭ２１ｂや記憶部２２に記憶した制御プログラムをＲＡＭ２１ｃに展開して実行することにより、コントローラ２０全体の動作を制御する。
【００３５】
記憶部２２は、ＨＤＤやＳＳＤなどで構成され、ＣＰＵ２１ａが各部を制御するためのプログラム、クライアント端末１０から受信した印刷ジョブ、印刷ジョブに基づいて生成した画像データ、色変換に用いる色変換テーブル（デバイスリンクプロファイル）、補正テーブル、補正テーブルの補正量が特異データであるかを判断するために使用する各種テーブル、カラー画像出力装置３０の機械状態情報などを保存する。
【００３６】
画像処理部２３は、クライアント端末１０から受信した印刷ジョブ（例えば、ＰＤＬデータ）の処理方法や各種画像生成命令を解析する。
【００３７】
ＲＩＰ部２４は、画像処理ＡＳＩＣ（Application Specific Integrated Circuit）などで構成され、ＰＤＬデータを翻訳し、原稿の各ページをラスタライズしてビットマップ形式の画像データを生成する。その際、色変換テーブルを用いて入力デバイス値（例えば、ＲＧＢ値）を出力デバイス値（例えば、ＣＭＹＫ値）に変換する。
【００３８】
ネットワークＩ／Ｆ部２５は、ＮＩＣやモデムなどで構成され、コントローラ２０を通信ネットワーク５０に接続し、クライアント端末１０から印刷ジョブなどを受信する。プリンタＩ／Ｆ部２６は、コントローラ２０をカラー画像出力装置３０に接続するための専用インターフェイスであり、カラー画像出力装置３０から機械状態情報を受信したり、カラー画像出力装置３０にビットマップ形式の画像データなどを送信して出力指示を行ったりする。
【００３９】
また、上記制御部２１は、図４（ｂ）に示すように、情報取得部２７、履歴管理部２８、補正制御部２９などとしても機能する。
【００４０】
情報取得部２７は、カラー画像出力装置３０に設けられた計測部（例えば、後述する印刷制御部（印刷エンジン）を構成する各部材（例えば、感光体）の使用時間を計測するタイマーや環境湿度／環境温度を計測するセンサーなど）から、各部材の使用時間や環境湿度、環境温度などのカラー画像出力装置３０の機械状態を特定する情報（機械状態情報と呼ぶ。）を取得し、取得した機械状態情報を履歴管理部２８及び補正制御部２９に通知する。
【００４１】
履歴管理部２８は、カラー画像出力装置３０の機械状態に応じた補正テーブルを作成／修正する。補正テーブルを作成する際には、各パッチの画像データ上の入力色の色彩値を、色変換テーブルを用いて出力デバイス値に変換したカラーチャートをカラー画像出力装置３０に印刷させ、印刷システムに配置した測色器４０に上記カラーチャートを測色させ、各パッチを測色した色彩値と予め定められた認証規格とのズレ量から、カラーチャートの入力デバイス値に対応する出力デバイス値の補正量を決定し、入力色毎に補正量を記述した補正テーブルを作成し、作成した補正テーブルを情報取得部２７が取得した機械状態情報に対応付けて、履歴情報として記憶部２２などに保存する。また、補正テーブルを修正する場合は、各パッチの画像データ上の入力色の色彩値（入力デバイス値）を、色変換テーブルを用いて出力デバイス値に変換し、更に補正テーブルを用いて補正したカラーチャートをカラー画像出力装置３０に印刷させ、測色器４０に上記カラーチャートを測色させ、各パッチを測色した色彩値と上記認証規格とのズレ量から、カラーチャートの入力デバイス値に対応する出力デバイス値の補正量を決定し、決定した補正量を補正テーブルに反映して修正し、修正した補正テーブルを情報取得部２７が取得した機械状態情報に対応付けて、履歴情報として記憶部２２などに保存する。また、履歴管理部２８は、補正制御部２９が後述する手順で推定した補正値に基づいて補正テーブルを作成し、作成した補正テーブルを情報取得部２７が取得した機械状態情報に対応付けて、履歴情報として記憶部２２などに保存する。また、履歴管理部２８は、補正制御部２９からの指示に従って、色変換テーブルの再作成を行う。
【００４２】
補正制御部２９は、カラー画像の出力を指示する際に、入力色毎に補正テーブルの補正量が特異データであるかを判断する。具体的には、各入力色について、各機械状態における補正量（ΔC、ΔM、ΔY、ΔK）を、色の見た目を判断できるように所定の色空間の補正量（例えば、ΔL*、Δa*、Δb*）に変換し、色空間補正量の平均値をその入力色の傾向値として設定し、各入力色の傾向値の平均を全体傾向値として設定し、各入力色の傾向値と全体傾向値との差分が予め定めた閾値を超える場合、その入力色の補正量が特異データであると判断する。そして、所定の入力色の補正量が特異データでない場合は、その補正量（所定の入力色の補正量の一部又は全部）を用いてカラー画像出力装置３０の現在の機械状態における補正量を推定し、所定の入力色の補正量が特異データの場合は、その補正量を色補正に使用せず、所定の入力色以外の入力色（例えば、所定の入力色に近い色の入力色）の補正量を用いてカラー画像出力装置３０の現在の機械状態における補正量を推定する。そして、推定した補正量を用いてカラー画像の入力デバイス値に対応する出力デバイス値を補正する。また、補正制御部２９は、特異データであると判断した補正量の数が予め定めた数量又は割合を超える場合は、補正テーブルの作成の基準となる色変換テーブルが異常であると判断し、履歴管理部２８に色変換テーブルの再作成を指示する。
【００４３】
なお、上記情報取得部２７、履歴管理部２８及び補正制御部２９はハードウェアとして構成してもよいし、制御部２１を情報取得部２７、履歴管理部２８及び補正制御部２９として機能させる色補正プログラムとして構成し、当該色補正プログラムをＣＰＵ２１ａに実行させるようにしてもよい。
【００４４】
［カラー画像出力装置］
カラー画像出力装置３０は、コントローラ２０の指示に基づいて印刷を行うＭＦＰ（Multi-Functional Peripherals）などの画像形成装置である。このカラー画像出力装置３０は、図５（ａ）に示すように、制御部３１と記憶部３２とコントローラＩ／Ｆ部３３とパネル操作部３４と画像読取部３５と印刷処理部３６などで構成される。
【００４５】
制御部３１は、ＣＰＵ３１ａと、ＲＯＭ３１ｂやＲＡＭ３１ｃなどのメモリとで構成され、ＣＰＵ３１ａは、ＲＯＭ３１ｂに記憶した制御プログラムをＲＡＭ３１ｃに展開して実行することにより、カラー画像出力装置３０全体の動作を制御する。
【００４６】
記憶部３２は、ＨＤＤやＳＳＤなどで構成され、ＣＰＵ３１ａが各部を制御するためのプログラム、コントローラ２０から受信した画像データ、カラー画像出力装置３０の機械状態情報などを保存する。また、後述するように、制御部３１を履歴管理部及び補正制御部として機能させる場合は、色変換に用いる色変換テーブル（デバイスリンクプロファイル）、補正テーブル、補正テーブルの補正量が特異データであるかを判断するために使用する各種テーブルなども保存する。
【００４７】
コントローラＩ／Ｆ部３３は、カラー画像出力装置３０をコントローラ２０に接続するための専用インターフェイスであり、コントローラ２０に機械状態情報を送信したり、コントローラ２０から画像データを受信したりする。
【００４８】
パネル操作部３４は、ＬＣＤなどの表示部上に格子状の透明電極からなるタッチセンサなどの操作部が形成されたタッチパネルなどであり、印刷に関する各種画面を表示すると共に、印刷に関する各種操作を可能にする。
【００４９】
画像読取部３５は、原稿台上に載置された原稿から画像データを光学的に読み取る部分であり、原稿を走査する光源と、原稿で反射された光を電気信号に変換するＣＣＤ（Charge Coupled Devices）等のイメージセンサと、電気信号をＡ／Ｄ変換するＡ／Ｄ変換器等により構成される。
【００５０】
印刷処理部３６は、コントローラ２０から受信した画像データに基づき、ＣＭＹＫのトナー（感光体）を用いて画像形成を行う印刷エンジンである。具体的には、図６の模式図に示すように、帯電部により帯電された感光体ドラムに露光部から画像に応じた光を照射して静電潜像を形成し、現像部で帯電したトナーを付着させて現像し、そのトナー像を１次転写ローラにより中間ベルトに１次転写し、２次転写ローラにより中間ベルトから用紙に２次転写し、更に定着部で用紙上のトナー像を定着させる処理を行う。
【００５１】
［測色器］
測色器４０は、光の波長ごとに計測可能なスペクトル方式の測色器（分光光度計）であり、カラー画像出力装置３０から出力されたカラーチャートの各パッチを測色し、色彩値を出力する。
【００５２】
なお、図１乃至図５は、本実施例の印刷システムの一例であり、各装置の構成や制御は適宜変更可能である。
【００５３】
例えば、上記では、コントローラ２０が色変換テーブル及び補正テーブルを用いて色変換と色補正を行ったが、図２の印刷システムのようにカラー画像出力装置３０がコントローラ２０を内蔵する場合は、カラー画像出力装置３０を色補正装置として動作させ、カラー画像出力装置３０が補正テーブル（又は、色変換テーブル及び補正テーブル）を用いて色補正（又は色変換及び色補正）を行うようにしてもよい。その場合は、図５（ｂ）に示すように、カラー画像出力装置３０の制御部３１を情報取得部３７、履歴管理部３８及び補正制御部３９として機能させる（カラー画像出力装置３０のＣＰＵ３１ａに色補正プログラムを実行させる）ようにすればよい。また、上記では、補正として色補正のみを行う構成としたが、カラー画像出力装置３０が、別途、色補正以外の補正を行うようにしてもよい。
【００５４】
また、図１及び図２では、印刷システムに測色器４０を配置したが、測色器４０に代えて、カラー画像出力装置３０の印刷処理部３６に、外部の測色器４０と同様に、光の波長ごとに計測可能なスペクトル方式のインライン測色器を設け、インライン測色器がカラーチャートを測色し、色彩値を出力するようにしてもよい。
【００５５】
以下、図２の印刷システムにおけるカラー画像出力装置３０（コントローラ２０を内蔵するカラー画像出力装置３０）の動作について説明する。ＣＰＵ３１ａは、ＲＯＭ３１ｂ又は記憶部３２に記憶した色補正プログラムをＲＡＭ３１ｃに展開して実行することにより、図７乃至図９のフローチャート図に示す各ステップの処理を実行する。なお、以下の説明では、カラー画像出力装置３０の制御部３１を情報取得部３７、履歴管理部３８及び補正制御部３９として機能させ、補正制御部３９が色変換テーブル及び補正テーブルを適用して色変換及び色補正を行うものとし、記憶部３２に、色補正プログラム、色変換テーブル、補正テーブル、補正量が特異データであるかを判断するために使用する各種テーブルなどが記憶されているものとする。
【００５６】
［履歴の蓄積処理］
まず、履歴の蓄積処理について、図７を参照して説明する。カラー画像出力装置３０の制御部３１（補正制御部３９）は、色の確認用チャート（例えば、Japan Color認証制度により規定されたIT8.7-4チャート）の出力指示を受け付けると（Ｓ１０１）、色の確認用チャートの各パッチの入力色の色彩値に対して、予め記憶した色変換テーブル（認証規格で定義された色彩値を再現するためのデバイスリンクプロファイルとする。）を適用して出力デバイス値に変換し（Ｓ１０２）、その後、補正テーブルを適用して補正出力デバイス値に変換する（Ｓ１０３）。そして、印刷処理部３６は、補正出力デバイス値に基づいて色の確認用チャートを出力する（Ｓ１０４）。
【００５７】
次に、制御部３１（履歴管理部３８）は、外部の測色器４０又はカラー画像出力装置３０に設けたインライン測色器から、色の確認用チャートを測色した色彩値を取得し（Ｓ１０５）、取得した色彩値が所望の色であるか（例えば、Japan Color認証規格に入っているか）を確認する（Ｓ１０６）。取得した色彩値が認証規格に入っていない場合は、制御部３１（履歴管理部３８）は、測色した色彩値と認証規格のズレ量から補正量を決定し、決定した補正量を補正テーブルに反映して修正した後（Ｓ１０７）、Ｓ１０１に戻って同様の処理を繰り返す。
【００５８】
一方、取得した色彩値が認証規格に入っている場合は、制御部３１（情報取得部３７）は、カラー画像出力装置３０の現在の機械状態情報（印刷処理部３６を構成する各部材（特に、感光体）の使用時間、印刷処理部３６の環境湿度や環境温度など）を取得し（Ｓ１０８）、制御部３１（履歴管理部３８）は、取得した機械状態情報に対応付けて補正テーブルを記憶部３２などに保存する（Ｓ１０９）。
【００５９】
［履歴の運用処理］
次に、上記手順で蓄積した履歴の運用処理について、図８を参照して説明する。カラー画像出力装置３０の制御部３１（履歴管理部３８）は、色の確認用チャート出力時に履歴が蓄積されているか確認する（Ｓ２０１）。なお、履歴が蓄積されているか否かは、蓄積されている履歴数が一定数以上であるか否かで判定する。履歴が蓄積されていない場合は、図７で示した履歴の蓄積処理を実施する（Ｓ２０７）。
【００６０】
履歴が蓄積されている場合は、制御部３１（補正制御部３９）は、色の確認用チャートの出力指示を受け付けると（Ｓ２０２）、色の確認用チャートの各パッチの入力色の色彩値に対して、予め記憶した色変換テーブルを適用して出力デバイス値に変換する（Ｓ２０３）。そして、制御部３１（補正制御部３９）は、補正量の推定処理を行う（Ｓ２０４）。
【００６１】
図９は、補正量の推定処理の詳細を示しており、まず、蓄積されている履歴から、入力色に対応する補正量が特異データであるか否かを判断する（Ｓ３０１）。入力色に対応する補正量が特異データと判断した場合は、その補正量を色補正に使用せず、その入力色については補正しないか、若しくは、その入力色以外の入力色（例えば、その入力色に近い色の入力色）の補正量から、現在のカラー画像出力装置３０の機械状態における補正量を推定する（Ｓ３０２）。例えば、その入力色以外の入力色の補正量の平均値などを現在のカラー画像出力装置３０の機械状態における補正量として推定する。一方、入力色に対応する補正量が特異データでないと判断した場合は、その入力色の補正量（その入力色の補正量の一部又は全部）から、現在のカラー画像出力装置３０の機械状態における補正量を推定する（Ｓ３０３）。例えば、その入力色の補正量の平均値などを現在のカラー画像出力装置３０の機械状態における補正量として推定する。そして、入力色の全てについて補正量の推定が完了したかを判断し（Ｓ３０４）、補正量の推定を行っていない入力色がある場合は、Ｓ３０１に戻って同様の処理を繰り返す。
【００６２】
図８に戻って、制御部３１（補正制御部３９）は、推定した補正量を適用して出力デバイス値を補正出力デバイス値に変換し（Ｓ２０５）、印刷処理部３６は、補正出力デバイス値に基づいて色の確認用チャートを出力する（Ｓ２０６）。
【００６３】
なお、制御部３１（履歴管理部３８）は、必要に応じて、上記で推定した補正値に基づいて補正テーブルを作成し、作成した補正テーブルを現在のカラー画像出力装置３０の機械状態に対応付けて、履歴情報として記憶部２２などに保存する。また、制御部３１（補正制御部２９）は、必要に応じて、特異データであると判断した補正量の数が予め定めた数量又は割合を超える場合は、制御部３１（履歴管理部３８）に色変換テーブルの再作成を指示し、制御部３１（履歴管理部３８）は、指示に従って色変換テーブルの再作成を行う。
【００６４】
入力色に対応する補正量が特異データであるか否かの判断について、図１０乃至図１２を参照して具体的に説明する。例えば、入力色ＡのＣＭＹＫ値が（50、50、0、0）の場合において、図１０に示すように、機械状態１〜４に対応する補正量が中央の列の値であるとする。この補正量を、色の見た目を判断できるように所定の色空間（例えば、L*a*b*表色系の色空間）の補正量に変換すると、図１０の右の列のようになり、色空間補正量の平均値は（-1.25、1.75、-2.5）となる。この色空間補正量の平均値を傾向値と呼ぶ。この傾向値は入力色毎にあり、例えば、各入力色（ここでは入力色Ａ〜Ｄ）の傾向値は図１１のようになる。各入力色の傾向値の平均値が全体傾向値となり、全体傾向値を（-1.4、1.50、-2.3）とすると、入力色毎の傾向値と全体傾向値との差分の絶対値は図１２のようになる。特異データか否かの判定の基準値（閾値）を（1、1、1）とすると、差分の絶対値が（1、1、1）以上である入力色Ｃの補正量は特異データであると判断される。
【００６５】
図１３は、色空間補正量と傾向値と全体傾向値との関係を示す模式図であり、補正量をL*a*b*表色系の色空間におけるa*b*平面に投影した図である。図の細い実線は各入力色の各機械状態における色空間補正量を示し、図の太い破線は、各入力色の傾向値（各機械状態の色空間補正量の平均値）を示し、図の太い実線は、全体傾向値（各入力色の傾向値の平均値）を示している。図の左上、右上、右下の各入力色の傾向値は、全体傾向値とほぼ同じ方向を向いているが、図の左下の入力色（円で囲んだ入力色）は全体傾向値とは異なる方向を向いており、この入力色は図１２の入力色Ｃに相当する。このような、傾向値と全体傾向値との差分の絶対値が基準値を超える補正量を使用して出力デバイス値を補正すると色精度が悪化することから、この補正量は使用しないようにし、その入力色以外の入力色（例えば、その入力色に近い色の入力色）の補正量を用いてカラー画像出力装置３０の現在の機械状態に応じた補正量を推定（例えば、a*b*平面上でこの入力色の両側に位置する色の補正量を平均して推定）する。
【００６６】
このように、カラー画像を出力する際に、入力色毎に補正テーブルの補正量が特異データであるかを判断し、補正量が特異データでない場合は、その補正量を用いてカラー画像出力装置３０の現在の機械状態における補正量を推定し、入力色の補正量が特異データの場合は、その補正量を使用せず、その入力色以外の入力色の補正量を用いてカラー画像出力装置３０の現在の機械状態における補正量を推定し、推定した補正量を用いてカラー画像の入力デバイス値に対応する出力デバイス値を補正することにより、履歴蓄積時とは異なる出力状態で履歴情報を使用して色補正を行った場合でも、色精度の悪化を避けることができる。
【００６７】
なお、本発明は、上記実施例の記載に限定されるものではなく、本発明の趣旨を逸脱しない限りにおいて、その構成や制御は適宜変更可能である。
【００６８】
例えば、上記実施例では、カラー画像出力装置３０が、履歴の蓄積処理及び履歴の運用処理を行う場合を記載したが、図１の印刷システムにおいてコントローラ２０が履歴の蓄積処理及び履歴の運用処理を行う場合に対しても、本発明の色補正制御を同様に適用することができる。
【００６９】
また、上記実施例では、入力色の補正量が特異データの場合、その入力色以外の入力色の補正量を用いて補正量を推定したが、その入力色に関しては補正量を用いた色補正をしない（色変換テーブルにより変換された出力デバイス値をそのまま使用する）ようにしてもよい。
【００７０】
また、上記実施例では、入力色の補正量が特異データであるかを判断する際に、補正量をL*a*b*表色系の色空間の補正量に変換したが、出力デバイス値の色彩値から変換可能な任意の色空間の補正量に変換する場合に対して、本発明の色補正制御を同様に適用することができる。
【産業上の利用可能性】
【００７１】
本発明は、補正テーブルを用いて色補正を行う色補正装置及び当該色補正装置を含む印刷システムにおける色補正方法並びに当該色補正装置で動作する色補正プログラム並びに当該色補正プログラムを記録した記録媒体に利用可能である。
【符号の説明】
【００７２】
１０  クライアント端末
１１  制御部
１１ａ  ＣＰＵ
１１ｂ  ＲＯＭ
１１ｃ  ＲＡＭ
１２  記憶部
１３  ネットワークＩ／Ｆ部
１４  表示部
１５  操作部
１６  ＯＳ
１７  文書作成アプリケーション
１８  プリンタドライバ
２０  コントローラ
２１  制御部
２１ａ  ＣＰＵ
２１ｂ  ＲＯＭ
２１ｃ  ＲＡＭ
２２  記憶部
２３  画像処理部
２４  ＲＩＰ部
２５  ネットワークＩ／Ｆ部
２６  プリンタＩ／Ｆ部
２７  情報取得部
２８  履歴管理部
２９  補正制御部
３０  カラー画像出力装置
３１  制御部
３１ａ  ＣＰＵ
３１ｂ  ＲＯＭ
３１ｃ  ＲＡＭ
３２  記憶部
３３  コントローラＩ／Ｆ部
３４  パネル操作部
３５  画像読取部
３６  印刷処理部
３７  情報取得部
３８  履歴管理部
３９  補正制御部
４０  測色器
５０  通信ネットワーク
【図１】
0006682983.tif 000002
【図２】
0006682983.tif 000003
【図３】
0006682983.tif 000004
【図４】
0006682983.tif 000005
【図５】
0006682983.tif 000006
【図６】
0006682983.tif 000007
【図７】
0006682983.tif 000008
【図８】
0006682983.tif 000009
【図９】
0006682983.tif 000010
【図１０】
0006682983.tif 000011
【図１１】
0006682983.tif 000012
【図１２】
0006682983.tif 000013
【図１３】
0006682983.tif 000014